(57)【要約】【課題】  このワイヤ放電加工機は，加工液とは別の恒温液を各種の構造体に循環させ，加工液と恒温液との温度均一化を図り，工作物の加工精度をアップさせる。【解決手段】  このワイヤ放電加工機は，加工液温度コントローラ２７と恒温液温度コントローラ２４とで加工液と恒温液との温度均一化を図り，恒温液３９をクロスサドル７，ベッド３，コラム９等にに循環させ，加工槽１，Ｘ軸スライド６等を含めて装置全体の恒温化を図り，温度変化や温度差による工作物５の加工精度の悪影響を排除する。【選択図】  図３
2006130630.tif 000002
【特許請求の範囲】
【請求項１】
ベッド，該ベッドから立設したコラム，前記ベッド上にＹ軸方向に往復移動するクロスサドル，及び該クロスサドル上でＸ軸方向に往復移動するＸ軸スライドと一体構造に構成された加工液を収容可能な加工槽を備え，前記加工槽内に設置された工作物を前記コラムに設けたワイヤ電極供給源から供給されるワイヤ電極によって加工するため，前記工作物と前記ワイヤ電極との間に加工電圧を印加して発生させた放電エネルギーによって前記工作物を放電加工するワイヤ放電加工機において，
前記クロスサドルに形成された第１液通路，前記ベッドに形成された第２液通路及び前記コラムに形成された第３液通路に，恒温液温度コントローラによって予め決められた所定の温度に制御された恒温液を循環させると共に，加工液温度コントローラによって前記加工液を前記恒温液に同期化させて同一温度に制御し，前記加工槽，前記Ｘ軸スライド，前記クロスサドル，前記ベッド及び前記コラムを均一温度に維持することを特徴とする恒温装置を備えたワイヤ放電加工機。
【請求項２】
前記恒温液は，恒温液タンクから供給された液が前記恒温液温度コントローラを備えた恒温液温度調整室で予め決められた所定の温度に調整され，前記恒温液温度調整室からの温度調節された前記恒温液を前記第１液通路，前記第２液通路，次いで前記第３液通路を通って前記恒温液タンクに戻るように直列に循環させることを特徴とする請求項１に記載の恒温装置を備えたワイヤ放電加工機。
【請求項３】
前記恒温液が循環する恒温液循環路は，前記恒温液温度調整室と前記第１液通路，前記第１液通路と前記第２液通路，前記第２液通路と前記第３液通路，及び前記第３液通路と前記恒温液タンクとがそれぞれチューブによって接続され，閉回路に形成されていることを特徴とする請求項２に記載の恒温装置を備えたワイヤ放電加工機。
【請求項４】
前記恒温液は，恒温液タンクから供給された液が前記恒温液温度コントローラを備えた恒温液温度調整室で予め決められた所定の温度に調整され，前記恒温液温度調整室からの温度調節された前記恒温液を前記第１液通路，前記第２液通路及び前記第３液通路に並列にそれぞれ供給して前記恒温液タンクにそれぞれ戻るように循環させることを特徴とする請求項１に記載の恒温装置を備えたワイヤ放電加工機。
【請求項５】
前記恒温液が循環する恒温液循環路は，前記恒温液温度調整室と，前記第１液通路，前記第２液通路及び前記第３液通路とが供給側チューブによってそれぞれ接続され，また，前記第１液通路，前記第２液通路及び前記第３液通路と前記液タンクとが回収側チューブによってそれぞれ接続され，閉回路に形成されていることを特徴とする請求項４に記載の恒温装置を備えたワイヤ放電加工機。
【請求項６】
前記加工槽に収容可能な前記加工液は，前記加工槽から濾過装置に回収され，前記濾過装置によって濾過されると共に前記加工液温度コントローラによって前記恒温液に同期化させて前記所定の均一温度に制御されることを特徴とする請求項１〜５のいずれか１項に記載の恒温装置を備えたワイヤ放電加工機。
【請求項７】
前記コラムの上部に設けられた上ワイヤヘッド，及び前記コラムから延びる下アームに設けられた下ワイヤヘッドを備え，前記工作物は前記上ワイヤヘッドと前記下ワイヤヘッドとの間に設置されていることを特徴とする請求項１〜６のいずれか１項に記載の恒温装置を備えたワイヤ放電加工機。
【請求項８】
前記コラムに形成された前記第３液通路は，前記ベッド，前記クロスサドル及び前記加工槽に対向する前記コラムの領域にわたって延びて形成されていることを特徴とする請求項１〜７のいずれか１項に記載の恒温装置を備えたワイヤ放電加工機。
【請求項９】
前記コラムに形成された前記第３液通路は，前記コラムの上部のＵＶ軸ユニットへと延びて形成されていることを特徴とする請求項８に記載の恒温装置を備えたワイヤ放電加工機。
【請求項１０】
前記コラムの上部に設けられたＵＶ軸ユニット，及び前記コラムの上部で前記ＵＶ軸ユニットに隣接して設けられたＺ軸ユニットを有することを特徴とする請求項１〜９のいずれか１項に記載の恒温装置を備えたワイヤ放電加工機。
【請求項１１】
前記恒温液としては，水又は油を選択的に使用することができることを特徴とする請求項１〜１０のいずれか１項に記載の恒温装置を備えたワイヤ放電加工機。
【発明の詳細な説明】
【技術分野】
【０００１】
この発明は，工作物とワイヤ電極との極間に加工電圧を印加して工作物を加工する恒温装置を備えたワイヤ放電加工機に関する。
【背景技術】
【０００２】
近年，ワイヤ放電加工機は，加工槽に加工液を溜めて加工する浸漬式ワイヤ放電加工機が主流になってきている。また，ワイヤ放電加工機については，工作物の加工精度の要求も厳しくなり，例えば，０．００１ｍｍ以下の精度が要求される。ワイヤ放電加工機では，コラム，テーブル，ベッド，ヘッド等の構成部品に温度差が発生しており，そのため構成部品毎に熱変位による熱膨張差が発生し，機械精度及び加工精度に悪影響を及ぼすことになる。ワイヤ放電加工機について，加工槽に加工液を溜めて工作物の加工を開始すると，クロスサドル等のテーブルとベースを構成するベッドとの間には，例えば，２〜３℃の温度差が発生し，温度差の影響によってＸ軸テーブルとＹ軸テーブルとにピッチ差が生じる。一般に，ワイヤ放電加工機では，Ｙ軸テーブルがＸ軸テーブルに比較して短くなっている。そのため，ワイヤ放電加工機では，特に，温度差に伴ってピッチ加工精度に悪影響が発生する。
【０００３】
従来，放電加工装置において，ベッドやコラムに冷却器体を設けたものが知られている。該放電加工装置は，機械構造体にその温度上昇を検出する温度センサ及び機械的変位を検出する傾斜センサ，これらの各センサによって駆動される送風ファン及び冷却器体を設けたものである（例えば，特許文献１参照）。
【０００４】
また，金属加工装置において，ワーク保持部と加工部を有し，加工部に対する加工液供給装置が装備されているフレームに温度歪補償装置が設けられているものが知られている。該金属加工装置は，加工液供給装置がフレームを通り加工部に加工液を供給する循環パイプが接続され，加工液タンクに連結する帰還パイプが加工液タンクに接続されている。上記金属加工装置は，加工液タンクに設けた温度検知装置とそれ以外のものに設けた温度検知装置との検知温度信号を入力する比較制御装置により作動して，加工液を室温程度の設定温度とする加温冷却装置によって加温冷却される加工液で加工部やフレームを室温程度に設定したものである（例えば，特許文献２参照）。
【０００５】
また，ワイヤカット放電加工装置として，上下のアームに加工液を流通させるものが知られている。該ワイヤカット放電加工装置は，ワイヤ電極を支持する上下のワイヤカット放電加工用のアームを同一温度に制御するように加工液を流通させるものであり，上下のアームが常時同一温度に保たれ，両者の膨張や収縮を同じにし，加工精度をアップさせるものである（例えば，特許文献３参照）。
【０００６】
また，精密機械装置において，温度制御液を循環させるものが知られている。該精密機械装置であるワイヤカット放電加工機におけるコラムやヘッドに熱交換器を設けた循環冷却したり，研削盤におけるコラムやベッドに制御液を循環冷却する冷却ユニットが設けられている（例えば，特許文献４参照）。
【０００７】
また，冷却液流通パイプを鋳込んだ工作機械の構造体が知られている。該精密機械装置の構造体は，内部にパイプを配管し，ベッドやコラム等の温度制御を容易に迅速に効率的に行い得るものであり，冷却液流通用のパイプが埋設されるように鋳込んでベッドやコラムを鋳造形成し，冷却液をそれらのパイプ内に流通させて効果的に冷却し得るようにしたものである（例えば，特許文献５参照）。
【０００８】
従来，工作機械として，摺動面摩擦によって発生する熱を効率よく除去し精度を維持するものが知られている。該工作機械は，ベッド摺動面のリブの中に空洞を形成し，サドル上に形成されたサドル摺動面の下方に空洞を形成し，空洞の中に冷却媒体を通すことによって，摺動面摩擦によって発生する熱を除去するものであり，各所に温度センサを埋め込み，効率の良い温度コントロールができるようにしたものである（例えば，特許文献６参照）。
【特許文献１】特開昭５９−１６１２３２号公報
【特許文献２】実公昭６３−４２９８１号公報
【特許文献３】実公昭５７−３００３１号公報
【特許文献４】特開昭６３−１４４９１６号公報
【特許文献５】特開平６−１２６５６４号公報
【特許文献６】特開２０００−１１７５７１号公報
【発明の開示】
【発明が解決しようとする課題】
【０００９】
しかしながら，従来のワイヤ放電加工機では，概して，ベッドやコラムに冷却器体を設けたり，フレーム，スタンド，上下アームを加工液で室温程度に維持したり，上下アームに加工液を流通させたり，コラムやヘッドに熱交換器を設けた循環冷却したり，ベッドやコラムに冷却液を流通させたり，或いは，リブやサドルに空洞を設けて冷却媒体を通すものであった。
【００１０】
ところで，ワイヤ放電加工機における浸漬式ワイヤ放電加工機では，加工槽内には加工液が溜められているが，加工液には通常工作物を加工して加工屑等の異物が混入しており，たとえ濾過装置に加工液を通して濾過したとしても，加工液中に全く異物が混入していない状態を実現するのは困難であり，異物の混入は避けられないのが現状である。このような加工液を使用して，加工液を冷却或いは加温して恒温状態を実現したとしても，その加工液を工作物の加工精度に影響を及ぼす各種の構造体に通すのは，装置そのものに異物が詰まったりして装置の故障を発生させる原因になる。そこで，工作物の加工精度に影響を及ぼす各種の構造体を，加工液でなく別途に予め決められた所定の温度の恒温油を用いて恒温状態に維持して加工精度をアップさせることが望ましいことになる。その場合に，加工槽に溜められている加工液と各種の構造体を恒温状態に維持する恒温油との均一温度化を図るという技術的思想を有するものは，従来のワイヤ放電加工機では皆無であり，本発明者はそこに着目して本願発明を開発するに至ったものである。
【００１１】
この発明の目的は，上記の課題を解決することであり，加工屑等の異物を含む可能性がある加工液を用いることなく，クリーンな恒温液を用いて工作物の加工精度に影響を及ぼす各種の構造体を恒温状態に維持するものであり，恒温液温度コントローラで予め決められた所定の温度に調整された恒温液をクロスサドル，ベース及びコラムに循環させると共に，加工槽に収容可能な加工液の温度を恒温液の温度に同期化させて加工液と恒温液との温度を均等温度に維持し，加工槽と一体構造のＸ軸スライドの温度をクロスサドル，ベース及びコラムの温度と均一化即ち均等化し，温度変化及び部材間の温度差による工作物に対する加工精度への悪影響を排除し，加工精度をアップさせる恒温装置を備えたワイヤ放電加工機を提供することである。
【課題を解決するための手段】
【００１２】
この発明は，ベッド，該ベッドから立設したコラム，前記ベッド上にＹ軸方向に往復移動するクロスサドル，及び該クロスサドル上でＸ軸方向に往復移動するＸ軸スライドと一体構造に構成された加工液を収容可能な加工槽を備え，前記加工槽内に設置された工作物を前記コラムに設けたワイヤ電極供給源から供給されるワイヤ電極によって加工するため，前記工作物と前記ワイヤ電極との間に加工電圧を印加して発生させた放電エネルギーによって前記工作物を放電加工するワイヤ放電加工機において，
前記クロスサドルに形成された第１液通路，前記ベッドに形成された第２液通路及び前記コラムに形成された第３液通路に，恒温液温度コントローラによって予め決められた所定の温度に制御された恒温液を循環させると共に，加工液温度コントローラによって前記加工液を前記恒温液に同期化させて同一温度に制御し，前記加工槽，前記Ｘ軸スライド，前記クロスサドル，前記ベッド及び前記コラムを均一温度に維持することを特徴とする恒温装置を備えたワイヤ放電加工機に関する。
【００１３】
また，このワイヤ放電加工機において，前記恒温液は，恒温液タンクから供給された液が前記恒温液温度コントローラを備えた恒温液温度調整室で予め決められた所定の温度に調整され，前記恒温液温度調整室からの温度調節された前記恒温液を前記第１液通路，前記第２液通路，次いで前記第３液通路を通って前記恒温液タンクに戻るように直列に循環させる。更に，前記恒温液が循環する恒温液循環路は，前記恒温液温度調整室と前記第１液通路，前記第１液通路と前記第２液通路，前記第２液通路と前記第３液通路，及び前記第３液通路と前記恒温液タンクとがそれぞれチューブによって接続され，閉回路に形成されている。
【００１４】
また，このワイヤ放電加工機において，前記恒温液は，恒温液タンクから供給された液が前記恒温液温度コントローラを備えた恒温液温度調整室で予め決められた所定の温度に調整され，前記恒温液温度調整室からの温度調節された前記恒温液を前記第１液通路，前記第２液通路及び前記第３液通路に並列にそれぞれ供給して前記恒温液タンクにそれぞれ戻るように循環させる。更に，前記恒温液が循環する恒温液循環路は，前記恒温液温度調整室と，前記第１液通路，前記第２液通路及び前記第３液通路とが供給側チューブによってそれぞれ接続され，また，前記第１液通路，前記第２液通路及び前記第３液通路と前記液タンクとが回収側チューブによってそれぞれ接続され，閉回路に形成されている。
【００１５】
また，このワイヤ放電加工機において，前記加工槽に収容可能な前記加工液は，前記加工槽から濾過装置に回収され，前記濾過装置によって濾過されると共に前記加工液温度コントローラによって前記恒温液に同期化させて前記所定の均一温度に制御される。
【００１６】
また，このワイヤ放電加工機は，前記コラムの上部に設けられた上ワイヤヘッド，及び前記コラムから延びる下アームに設けられた下ワイヤヘッドを備え，前記工作物は前記上ワイヤヘッドと前記下ワイヤヘッドとの間に設置されている。
【００１７】
前記コラムに形成された前記第３液通路は，前記ベッド，前記クロスサドル及び前記加工槽に対向する前記コラムの領域にわたって延びて形成されている。このワイヤ放電加工機が大型の場合には，前記コラムに形成された前記第３液通路は，前記コラムの上部のＵＶ軸ユニットまで延びて形成されており，装置全体を均一の温度に維持するように構成されている。
【００１８】
このワイヤ放電加工機は，前記コラムの上部に設けられたＵＶ軸ユニット，及び前記コラムの上部で前記ＵＶ軸ユニットに隣接して設けられたＺ軸ユニットを有する。
【００１９】
また，このワイヤ放電加工機では，前記恒温液としては，水又は油を選択的に使用することができる。
【発明の効果】
【００２０】
この恒温装置を備えたワイヤ放電加工機は，上記のように，放電加工に用いて加工屑等の異物が混入する可能性のある加工液とは別の予め決められた所定の温度の恒温液を用いて，加工槽，Ｘ軸スライド，Ｙ軸スライドを備えたクロスサドル，ベッド，コラム等の各種の構造体の恒温化を達成するものであり，その時，クロスサドル，ベッド温度コラムに閉回路の恒温液循環路を形成し，該恒温液循環路に恒温液を循環させ，それと共に，恒温液温度コントローラと加工液温度コントローラとを同期化させて恒温液の温度を加工液の温度との均一化を図って同一温度に維持したので，加工槽内に設置された上ワイヤヘッド，下ワイヤヘッド，工作物，工作物の支持部材と共にＸ軸スライド，Ｙ軸スライドを備えたクロスサドル，ベッド，コラム等の各種の構造体間に熱膨張差が発生することがなく，また，上記各種の構造体を恒温状態に維持したので，温度変化による加工精度にバラツキがなく，工作物に対する常に所定の加工精度，例えば，０．００１ｍｍ以下の加工精度を確保することができ，工作物の加工精度を大幅にアップさせることができ，しかも恒温液が閉回路の恒温液循環路を循環するので，各種の構造体に異物等が溜まることがなく，装置そのものが恒温液の循環不良，詰まり，故障等を引き起こすことが無い。
【発明を実施するための最良の形態】
【００２１】
以下，図面を参照して，この発明による恒温装置を備えたワイヤ放電加工機の実施例を説明する。このワイヤ放電加工機は，工作物５が加工液２に浸漬された状態でワイヤ電極１０によって放電加工される浸漬式ワイヤ放電加工機であって，加工液２が入れられる加工槽１は，例えば，ボルト及びナットのような固着具によってワイヤ放電加工機のＸ軸スライド６に取り付けられている。このワイヤ放電加工機は，工場の床面，土台等のベース３４に機台等のベッド３が設置されている。このワイヤ放電加工機は，Ｘ軸スライド６と一体的な加工槽１，加工槽１が載置されて加工槽１の移動方向（Ｘ軸方向）に対して直角方向（Ｙ軸方向）に移動可能なクロスサドル７，図示していないが，加工槽１の相対移動に対してシール手段を介して摺接して加工槽１の長孔を遮蔽し且つ下アーム１１が貫通するため長孔に対向するほぼ円形の孔が形成された遮蔽板を備えている。このワイヤ放電加工機は，工作物５に対して所定の加工形状にワイヤ放電加工を行うために工作物５との間で放電をするワイヤ電極１０がワイヤ電極供給源（図示せず）から加工機本体を構成するコラム９に設けられているガイドローラ等を備えた自動ワイヤ供給装置（図示せず）によって工作物５の加工領域に供給され，工作物５との間に極間電圧を印加されて工作物５を加工するものであり，工作物５を加工した後には下アーム１１の廃ワイヤ通路（図示せず）を通って回収される。
【００２２】
クロスサドル７に組み込まれたＹ軸スライドは，ベッド３との間に設けられたＹ軸スライドユニット１８を介してベッド３に対してＹ軸方向に往復移動するように構成されている。また，加工槽１と一体のＸ軸スライド６は，クロスサドル７との間に設けられたＸ軸スライドユニット１７を介してクロスサドル７に対してＸ軸方向に往復移動するように構成されている。Ｘ軸スライドユニット１７は，図１では，Ｘ軸スライド６に固定された複数のスライダ４２がクロスサドル７に固定された一対の軌道レール４１（図２，３）上を相対移動することによって，加工槽１がクロスサドル７に対してＸ軸方向に往復移動するものである。また，Ｙ軸スライドユニット１８は，図１では，クロスサドル７に固定された複数のスライダ４２がベッド３に固定された一対の軌道レール４３（図２，３）上を相対移動することによって，クロスサドル７がベッド３に対してＹ軸方向に往復移動するものである。
【００２３】
この放電加工機は，図１に示すように，床や土台に設置されているベースを構成するベッド３，ベッド３から立設した加工機本体を構成するコラム９，ベッド３上にＹ軸方向に往復移動するＹ軸スライドを構成するクロスサドル７，クロスサドル７上でＸ軸方向に往復移動するＸ軸スライド６と一体構造に構成された加工液２が溜められる加工槽１，コラム９の上部に設けられたＵＶ軸ユニット１５，ＵＶ軸ユニット１５に設けられたＺ軸ユニット１２，Ｚ軸ユニット１２に設けられた上ワイヤヘッド１４，コラム９から延びる下アーム１１に設けられた下ワイヤヘッド１３，及び上ワイヤヘッド１４と下ワイヤヘッド１３との間で加工槽１内に設置された工作物５を備えている。このワイヤ放電加工機は，加工槽１内に設置された工作物５をコラム９に設けたワイヤ電極供給源（図示せず）から供給されるワイヤ電極１０によって加工するため，工作物５とワイヤ電極１０との間に加工電圧を印加して発生させた放電エネルギーによって放電加工するものである。更に，このワイヤ放電加工機は，コラム９の上部に設けられたＵＶ軸ユニット１５，及びコラム９の上部でＵＶ軸ユニット１５に設けられたＺ軸ユニット１２を備えており，更に工作物５に対して広範囲の加工領域を確保して高精度の加工を行うことができるものである。
【００２４】
このワイヤ放電加工機では，ワイヤ電極１０は，コラム９に取り付けられたＵＶ軸ユニット１５に支持された上ワイヤヘッド１４と，コラム９から加工槽１の長孔を貫通して横方向に延びた下アーム１１に支持された下ワイヤヘッド１３とによって案内される。上ワイヤヘッド１４には，従来と同様に，ワイヤ送出口，ダイスガイド，噴流ノズル，給電子，及び給電子押え等が組み込まれており，ワイヤ電極１０を工作物５の放電加工部位に送り出す。給電子が組み込まれた下ワイヤヘッド１３は，上ワイヤヘッド１４と同様の構造を有しており，上ワイヤヘッド１４に対向した位置に設けられており，上ワイヤヘッド１４から繰り出されたワイヤ電極１０を受け入れる。上ワイヤヘッド１４の給電子と下ワイヤヘッド１３の給電子とをリード線が結んでおり，リード線には，リード線に接続された極とは反対の極が与えられている。工作物５に対して放電加工を行なったワイヤ電極１０は，下ワイヤヘッド１４に受け入れられた後，ガイドローラを通じて加工槽１から下アーム１１の内部の廃ワイヤ通路を通って引出しローラで引き出されて外部へ排出される。加工槽１の加工液２が不足する場合には，加工液供給管から適宜供給量を調節して供給される。
【００２５】
この恒温装置を備えたワイヤ放電加工機は，特に，クロスサドル７に形成された液通路１９（第１液通路），ベッド３に形成された液通路２０（第２液通路）及びコラム９に形成された液通路２１（第３液通路）に恒温液３９を循環させると共に，加工液温度コントローラ２７によって加工液２を予め決められた所定の温度に調節された恒温液３９に同期化させて互いに同一温度に制御し，加工液２によって加工槽１，Ｘ軸スライド６，工作物５，工作物支持台４，下ワイヤヘッド１３等の部材を恒温液３９の温度と均一化を図り，装置全体，即ち，加工槽１，Ｘ軸スライド６，工作物支持部台４，Ｙ軸スライドであるクロスサドル７，ベッド３，コラム９等を予め決められた所定の恒温に維持することを特徴としている。恒温液３９としては，水又は油を装置に合わせて選択的に使用することができ，即ち，構成部品に対して適正な液を選択することが好ましい。Ｘ軸スライド６は，加工槽１と一体化されているので，加工液２の温度によって温度制御されている。このワイヤ放電加工機は，加工液２と恒温液３９とが温度同期化即ち温度均一化の制御がされるので，Ｘ軸スライド６はクロスサドル７及びベッド３と同一温度に制御され，従って，加工槽１内の上ワイヤヘッド１４，下ワイヤヘッド１３，工作物５，Ｘ軸スライド６，クロスサドル７，ベッド３及びコラム９は，互いに温度差が発生することが無く，また，これらの部品は恒温状態に維持されており，工作物５の加工精度に温度変化や温度差による悪影響を及ぼすことがなく，常に高精度の加工を確保することができ，例えば，０．００１ｍｍ以下の加工精度にも対応することができる。
【００２６】
また，このワイヤ放電加工機については，工作物５の加工に影響を及ぼす各種の構造体を恒温に維持するための恒温液３９は，図３に示すように，油タンク等の恒温液タンク２２から供給された油（又は水）が恒温液温度コントローラ２４を備えた恒温液温度調整室２３で予め決められた所定の温度に調整される。恒温液温度調整室２３からの温度調節された恒温液３９は，液通路１９，液通路２０，次いで液通路２１を通って液タンクに戻るように直列に循環される。更に，恒温液温度調整室２３と液通路１９とは供給側のチューブ２８で接続され，液通路１９同士はチューブ２９で接続され，液通路１９と液通路２０とはチューブ３０で接続され，液通路２０同士はチューブ３１で接続され，液通路２０と液通路２１とはチューブ３２で接続され，更に，液通路２１と液タンクとは回収側のチューブ３３で接続され，閉回路の恒温液循環路が直列接続に構成されている。このワイヤ放電加工機では，上記の各種の構造体は，Ｘ軸スライド６と一体の加工槽１，加工槽１内に設置された工作物支持台４，下ワイヤヘッド１３，上ワイヤヘッド１４，ベッド３，加工機本体のコラム９，及びＹ軸スライドを構成するクロスサドル７を指している。また，コラム９に形成された液通路２１は，ベッド３，クロスサドル７及び加工槽１に対向するコラム９の領域にわたって延びて形成されている。更に，コラム３の液通路２１は，ワイヤ放電加工機そのものが大型の場合には，コラム９全体を均等に温度調整するため，コラム９のトップである上部のＵＶ軸ユニット１５及びＺ軸ユニット１２まで延びて形成することもできる。
【００２７】
或いは，このワイヤ放電加工機の別の実施例としては，図示されていないが，恒温液３９は，液タンクから供給された油（又は水）が恒温液温度コントローラ２４を備えた恒温液温度調整室２３で予め決められた所定の温度に調整されることは上記実施例と同一であるが，閉回路の恒温液循環路は，次のように並列に接続して構成することができる。温度調節された恒温液３９は，恒温液温度調整室２３から供給側チューブ２８を通じて液通路１９，液通路２０及び液通路２１に並列にそれぞれ供給される。恒温液３９は，液通路１９，液通路２０及び液通路２１をそれぞれ流れた後に，回収側チューブ３３を通って液タンクに戻るように循環される。即ち，恒温液温度調整室２３と，液通路１９，液通路２０及び液通路２１とは，供給側チューブ２８によってそれぞれ接続されている。また，液通路１９，液通路２０及び液通路２１と液タンクとは回収側チューブ３３によってそれぞれ接続され，閉回路の恒温液循環路に形成されている。
【００２８】
また，加工槽１に収容可能な加工液２は，濾過装置２５のフイルタ（図示せず）によって濾過されて加工槽１との間で循環すると共に，加工液温度コントローラ２７によって加工液２が温度調整されている。加工液２は，濾過装置２５の上記フイルタによって濾過されて，加工液供給通路３５を通って加工槽１に供給される。また，加工槽１から排出された加工液２は，加工液回収通路３６を通って濾過装置２５に回収される。また，濾過装置２５における加工液２は，加工液温度調整循環路３８を循環することによって，加工液温度調整室２６における加工液温度コントローラ２７によって加工液２を恒温液３９に均等化した同一の予め決められた所定の温度に制御される。特に，このワイヤ放電加工機は，恒温液温度コントローラ２４と加工液温度コントローラ２７とが同期化させられ，加工液２の温度が恒温液３９の温度と同一の予め決められた所定の均一温度になるように温度制御されることを特徴としている。それ故に，加工液２と恒温液３９とは，常時予め決められた所定の均一温度に温度制御されることになる。従って，このワイヤ放電加工機は，加工槽１内に設置される下ワイヤヘッド１３，上ワイヤヘッド１４，それらの間に設置された工作物５，工作物５を固定するクランプ（図示せず）等の工作物支持台４，加工槽１と一体のＸ軸スライド６，Ｙ軸スライドを持つクロスサドル７，ベッド３及びコラム９が予め決められた所定の均一温度になり，上記の各種の構成部品の熱膨張差による加工精度に悪影響を及ぼすことがなく，また，予め決められた所定の温度即ち恒温に制御されているので，温度の高低即ち温度変化による工作物に対する加工精度に悪影響がなく，工作物に対する加工に常に高精度を確保でき，例えば，０．００１ｍｍ以下の加工精度を確保することができる。
【産業上の利用可能性】
【００２９】
この発明による恒温装置を備えたワイヤ放電加工機は，例えば，加工槽に供給された加工液に工作物を浸漬或いは加工液を工作物に噴射して，ワイヤ電極と工作物との間に極間電圧を印加し，発生する放電エネルギで工作物を加工するワイヤ放電加工機に使用して好ましいものである。
【図面の簡単な説明】
【００３０】
【図１】この発明による恒温装置を備えた放電加工機を示す正面図である。
【図２】図１のワイヤ放電加工機を概略的に示す斜視図である。
【図３】図２のワイヤ放電加工機を分解して示す分解斜視図である。
【図４】図３のコラムを矢視Ａから見た背面を示す分解背面図である。
【符号の説明】
【００３１】
１      加工槽
２      加工液
３      ベッド
４      工作物支持台
５      工作物
６      Ｘ軸スライド
７      クロスサドル（Ｙ軸スライド）
８      ワイヤコントロールユニット
９      コラム（加工機本体）
１０    ワイヤ電極
１１    下アーム
１２    Ｚ軸ユニット
１３    下ワイヤヘッド
１４    上ワイヤヘッド
１５    ＵＶ軸ユニット
１７    Ｘ軸スライドユニット
１８    Ｙ軸スライドユニット
１９    液通路（第１液通路）
２０    液通路（第２液通路）
２１    液通路（第３液通路）
２２    恒温液タンク
２３    恒温液温度調整室
２４    恒温液温度コントローラ
２５    濾過装置
２６    加工液温度調整室
２７    加工液温度コントローラ
２８    供給側チューブ
２９，３０，３１，３２    チューブ
３３    回収側チューブ
３４    ベース（土台）
３５    加工液供給側チューブ
３６    加工液回収側チューブ
３８    加工液温度調整循環路
３９    恒温液
【図１】
2006130630.tif 000003
【図２】
2006130630.tif 000004
【図３】
2006130630.tif 000005
【図４】
2006130630.tif 000006